(57)【要約】【課題】簡単に組み立てや分解ができると共に製造し易い火起こし器を提供すること。【解決手段】芯棒１０と、その芯棒１０の中途部に固定されたはずみ車２０と、芯棒１０の上側が挿通される貫通孔３１を中央部に備える横長の持手３０と、芯棒１０の上端部に設けられた通し孔１２に通されて両端が持手３０の各端部に固定された紐４０とを備える舞錐式の火起こし器において、はずみ車２０の中央に貫通された取付孔２１に、芯棒１０が差し込まれて圧入状態で固定されるように、その芯棒１０の下端側１３がテーパ状に形成されている。【選択図】図１
0003131032.tif 000002
【実用新案登録請求の範囲】
【請求項１】
芯棒と、該芯棒の中途部に固定されたはずみ車と、前記芯棒の上側が挿通される貫通孔を中央部に備える横長の持手と、前記芯棒の上端部に設けられた通し孔に通されて両端が前記持手の各端部に固定された紐とを備える舞錐式の火起こし器において、
前記はずみ車の中央に貫通された取付孔に、前記芯棒が差し込まれて圧入状態で固定されるように、該芯棒の下端側がテーパ状に形成されていることを特徴とする火起こし器。
【請求項２】
前記はずみ車が、断面正方形の柱の角部を削った形状の八角形に設けられていることを特徴とする請求項1記載の火起こし器。
【請求項３】
前記持手の両把持部が、断面矩形の長尺板状材から形成され、それぞれの端へ向かうほど削り量の多いテーパ状に面取りがなされていることを特徴とする請求項1又は２記載の火起こし器。
【請求項４】
前記芯棒が押し付けられつつ軸回転されることで摩擦されて火種を起こすための火きり板において、Ｖ字状に切り欠かれた切欠部が複数設けられ、該切欠部のＶ字形の頂点部には円錐形の凹部が設けられていることを特徴とする請求項1、２又は３記載の火起こし器。
【請求項５】
前記火きり板は、前記芯棒より柔らかい材質である杉材によって設けられていることを特徴とする請求項４記載の火起こし器。
【考案の詳細な説明】
【技術分野】
【０００１】
この考案は、芯棒と、該芯棒の中途部に固定されたはずみ車と、前記芯棒の上側が挿通される貫通孔を中央部に備える横長の持手と、前記芯棒の上端部に設けられた通し孔に通されて両端が前記持手の各端部に固定された紐とを備える舞錐式の火起こし器に関する。
【背景技術】
【０００２】
舞錐式の火起こし器について、従来、芯棒に対するはずみ車の固着は、ボルト等の金具や、クサビ等の固定用部品を介在させて行なっていた。
また、はずみ車は、円板状または円柱状の形態をしており、例えば、円形の合板を重ね合わせて製造されている。
【特許文献１】実開平０７−６２５５号公報（第１頁、第１図）
【考案の開示】
【考案が解決しようとする課題】
【０００３】
火起こし器に関して解決しようとする問題点は、固定用部品を使用して芯棒にはずみ車を固定するため、簡単に組み立てや分解ができず、製造しにくいことにある。
そこで本考案の目的は、簡単に組み立てや分解ができると共に製造し易い火起こし器を提供することにある。
【課題を解決するための手段】
【０００４】
本考案は、上記目的を達成するために次の構成を備える。
本考案にかかる火起こし器の一形態によれば、芯棒と、該芯棒の中途部に固定されたはずみ車と、前記芯棒の上側が挿通される貫通孔を中央部に備える横長の持手と、前記芯棒の上端部に設けられた通し孔に通されて両端が前記持手の各端部に固定された紐とを備える舞錐式の火起こし器において、前記はずみ車の中央に貫通された取付孔に、前記芯棒が差し込まれて圧入状態で固定されるように、該芯棒の下端側がテーパ状に形成されている。
【０００５】
また、本考案にかかる火起こし器の一形態によれば、前記はずみ車が、断面正方形の柱の角部を削った形状の八角形に設けられていることを特徴とすることができる。
また、本考案にかかる火起こし器の一形態によれば、前記持手の両把持部が、断面矩形の長尺板状材から形成され、それぞれの端へ向かうほど削り量の多いテーパ状に面取りがなされていることを特徴とすることができる。
【０００６】
また、本考案にかかる火起こし器の一形態によれば、前記芯棒が押し付けられつつ軸回転されることで摩擦されて火種を起こすための火きり板において、Ｖ字状に切り欠かれた切欠部が複数設けられ、該切欠部のＶ字形の頂点部には円錐形の凹部が設けられていることを特徴とすることができる。
また、本考案にかかる火起こし器の一形態によれば、前記火きり板は、前記芯棒より柔らかい材質である杉材によって設けられていることを特徴とすることができる。
【考案の効果】
【０００７】
本考案の火起こし器によれば、簡単に組み立てや分解ができると共に製造し易いという特別有利な効果を奏する。
【考案を実施するための最良の形態】
【０００８】
以下、本考案にかかる火起こし器の最良の形態例を添付図面（図１、２）に基づいて詳細に説明する。
図１は本考案にかかる舞錐式の火起こし器の一形態を示す斜視図である。また、図２は図１の火起こし器とセットで用いられる火きり板の一形態を示す斜視図である。
【０００９】
これは、舞錐式の火起こし器と呼ばれるもので、以下の基本構成を備えている。
１０は芯棒であり、長尺の棒状に設けられている。２０ははずみ車であり、芯棒１０の中途部に固定されている。３０は持手であり、芯棒１０の上側１１が挿通される貫通孔３１を中央部に備える横長の部材である。また、４０は紐であり、芯棒１０の上端部に設けられた通し孔１２に通されて両端が持手３０の各端部に固定されている。
【００１０】
以上の基本構成に加えて、本形態例では、はずみ車２０の中央に貫通された取付孔２１に、芯棒１０が差し込まれて圧入状態で固定されるように、その芯棒１０の下端側１３が先端へ行くほど細くなるテーパ状に形成されている。
さらに具体的には、はずみ車２０の取付孔２１の直径が例えば１５ｍｍであるのに対して、芯棒１０の下端（先端）の直径が１２ｍｍで、芯棒１０の中途部から上端（後端）にかけての直径が１８ｍｍというように設定されている。
【００１１】
これにより、組立てと分解を容易に行なうことができるため、持ち運びや保管に便利である。また、この芯棒１０は、火きり板５０に摩擦される先端が磨り減る消耗品であるが、簡単に分解できるため、容易に交換できる。
さらに、従来のように、芯棒にはずみ車を固定するための固定用部品を必要としないため、部品数を減らすことができ、好適且つ容易に製造することができる。
【００１２】
また、本形態例のはずみ車２０は、断面正方形の柱の角部を削った形状の八角形に設けられている。これによれば、柱状の材料を用いて好適且つ容易に製造できる。なお、はずみ車２０は、円形でなく八角形であるが、バランスのよい慣性力を十分且つ好適に生じさせることができ、芯棒１０の軸心を中心に滑らかに回転（軸回転）させることができた。
さらに、このはずみ車２０は、八角形であるため、外観的に神聖な形態になるという効果も生じる。
【００１３】
また、本形態例の持手３０は、断面矩形の長尺板状材から形成され、その両把持部が、それぞれの端へ向かうほど削り量の多いテーパ状に面取り３２がなされている。
使用者によって握り易い形態となり、火起こしの作業を好適に行なうことができる。
【００１４】
５０は火きり板であり、芯棒１０が押し付けられつつ軸回転されることで摩擦されて火種を起こすために設けられた板材である。
この火きり板５０においては、Ｖ字状に切り欠かれた切欠部５１が複数設けられ、５１切欠部のＶ字形の頂点部には円錐形の凹部５２が設けられている。
この凹部５２に芯棒１０の先端を入れて回転させることで、摩擦熱を生じさせて火種を得ることができる。
【００１５】
また、この火きり板５０は、芯棒１０より柔らかい材質である杉材によって設けられている。このため、芯棒１０の先端によって擦られると、摩擦熱によって焦げた木粉が発生し、Ｖ字状の切欠部５１に落ちて溜まる。この焦げた木粉が火種となる。
なお、火きり板５０の下には、上記の焦げた木粉を保温状態で受けるように、適宜な木製板を敷いておくとよい。
【００１６】
以上の構成からなる火起こし器によれば、持手３０を上下動させることで、紐４０が芯棒１０に巻き付いたり解けたりする運動を繰り返し、その反動で芯棒１０が回転される。
この回転運動によって、芯棒１０の先端と火きり板５０の接触面（凹部５２）との間に摩擦熱が生じ、焦げた木粉が落ちて火種を得ることができる。
そして、その火種を、麻ヒモを綿のようにほぐしたものなどで包むようにして種火をつくり、着火させる。
本形態例の火起こし器によれば、短時間で且つ好適に火種を得ることができる。従って、摩擦熱による火起こし作業を容易に行なうことができる。これによれば、子供たちの教材などとして好適に利用できる。
【００１７】
以上、本考案につき好適な形態例を挙げて種々説明してきたが、本考案はこの形態例に限定されるものではなく、考案の精神を逸脱しない範囲内で多くの改変を施し得るのは勿論のことである。
【図面の簡単な説明】
【００１８】
【図１】本考案にかかる火起こし器の形態例を示す斜視図である。
【図２】本考案にかかる火きり板の形態例を示す斜視図である。
【符号の説明】
【００１９】
１０  芯棒
１１  上側
１２  通し孔
１３  下端側
２０  はずみ車
２１  取付孔
３０  持手
３１  貫通孔
３２  面取り
４０  ひも
５０  火きり板
５１  切欠部
５２  凹部
【図１】
0003131032.tif 000003
【図２】
0003131032.tif 000004